(57)【要約】【課題】設定した解錠番号を忘れても解錠できるダブルロック式ロックを提供する。【解決手段】ダブルロック式ロックは受け部材１０、移動板２０、ダイヤル錠セット、設置シート４０、スリーブ及びシリンダーを備える。受け部材１０は収容部１１とその底に連結孔１４を有し、移動板２０は連結孔１４に対応する貫通部を有し収容部１１内に長軸方向に移動するよう置かれ、ダイヤル錠セットは収容部１１に装着され、数字盤３１の解錠時のみ移動板２０を移動させ解錠可能である。設置シート４０は貫通孔を有し移動板２０の貫通部上で収容部１１内に装着され、スリーブは貫通孔内に装着され、底部に移動板２０に連動する第一連動部を有する。シリンダーはスリーブ内に装着され、スリーブ一端に回転部６２を有し、回転部６２は鍵穴６４を有し、鍵を鍵穴６４に差し込み回転させるとダイヤル錠セットによらず解錠できる。【選択図】図１２
0003139579.tif 000002
【実用新案登録請求の範囲】
【請求項１】
一般のアタッシュケースの上に取り付けられ、かつアタッシュケースの左右の二つの連結板と両側のサイドブロックとを連結し、連動させるダブルロック式ロックであって、
長形の収容部を有し、かつその一端に外部と収容部とを繋ぐ連結孔を有する受け部材と、
前記収容部の内部に取り付けられ、かつ前記受け部材の前記連結孔の位置に対応する貫通部を有する移動板と、
前記移動板の片側に形成されるストッパーと、
前記受け部材の前記収容部内に取り付けられるダイヤル錠セットであり、かつ複数の数字盤、前記数字盤に対応する凸状リング、中心軸、スプリング及び移動片を有し、前記移動片は高位置と低位置との間を移動可能であるダイヤル錠セットと、
前記移動板の前記貫通部の上方に位置するように前記受け部材の前記収容部に取り付ける設置シートであって、貫通する貫通孔を有する設置シートと、
前記設置シートの前記貫通孔内に取り付けられ、かつ内部に少なくとも二つの縦向き溝を有し、底部に第一連動部を有するスリーブと、
前記スリーブ内に取り付けられ、本体部と回転部とを有し、かつ一端に前記回転部を有し、前記回転部は頂面を陥没させて形成された鍵穴を有し、前記本体部に鍵穴へと続く複数の弾性片用のスリットを有し、底部の前記受け部材の前記連結孔に対応する箇所に第二連動部を有するシリンダーと、
を備えることを特徴とするダブルロック式ロック。
【請求項２】
前記ストッパーは前記移動板と一体成型であることを特徴とする請求項１に記載のダブルロック式ロック。
【請求項３】
前記移動板は前記貫通部の横において前記貫通部と連続する陥凹部を有することを特徴とする請求項１に記載のダブルロック式ロック。
【請求項４】
前記第一連動部は中心から離れた凸状柱であることを特徴とする請求項３に記載のダブルロック式ロック。
【請求項５】
前記スリーブは底部に扇形欠け口を有し、前記扇形欠け口は前記スリーブの底部の中心を円心にして９０度を呈するように広がり、前記シリンダーの前記第二連動部は前記扇形欠け口を貫通することを特徴とする請求項１に記載のダブルロック式ロック。
【請求項６】
前記シリンダーは底部に凸状ブロックを有し、前記凸状ブロックは前記スリーブの前記扇形欠け口を貫通し、かつ前記シリンダーの中心を円心にして外径方向に沿い形成され、
前記第二連動部は二つの縦柱部から構成されることを特徴とする請求項５に記載のダブルロック式ロック。
【請求項７】
前記ストッパーと前記移動板は別々に取り付けられることを特徴とする請求項１に記載のダブルロック式ロック。
【請求項８】
前記ストッパーは一列の歯部を有することを特徴とする請求項７に記載のダブルロック式ロック。
【請求項９】
前記スリーブの前記第一連動部は前記ストッパーの前記歯部と噛み合う弧形歯部であることを特徴とする請求項８に記載のダブルロック式ロック。
【請求項１０】
前記移動板は歯列部を有することを特徴とする請求項１に記載のダブルロック式ロック。
【請求項１１】
前記シリンダーの前記第二連動部は歯車であることを特徴とする請求項１０に記載のダブルロック式ロック。
【請求項１２】
突出状長歯部を有する引張り板を有し、前記引張り板は前記受け部材の前記収容部内に取り付けられ、前記長歯部と前記移動板の前記歯列部は互いに対応し、かつ別々に前記シリンダーの前記歯車の両側と噛み合うことを特徴とする請求項１１に記載のダブルロック式ロック。
【請求項１３】
前記設置シートは管部を有し、前記管部は頂部に突出状縁部を有し、前記設置シートの貫通孔は前記管部の頂部から奥の前記設置シートを貫通することを特徴とする請求項１に記載のダブルロック式ロック。
【請求項１４】
前記回転部は底部を陥没させて形成された弧形欠け口を有することを特徴とする請求項１３に記載のダブルロック式ロック。
【請求項１５】
前記スリーブは内部に９０度の間隔で配置される四つの縦向き溝と、前記スリーブ内壁から前記縦向き溝の底端へ傾いていく斜面とを有することを特徴とする請求項１に記載のダブルロック式ロック。
【考案の詳細な説明】
【技術分野】
【０００１】
本考案はアタッシュケース用ロックに関し、詳しくは、ダブルロック式ロックに関する。
【背景技術】
【０００２】
図１に示すのは周知のダイヤル錠Ａであり、このようなダイヤル錠はダイヤルロックセットと回転つまみでアタッシュケースの両側に設置されるサイドロックを制御することによりロックの目的を達成する。ダイヤル錠は異なる数字盤Ｂと内部の凸状リングの組み合わせによりロック機能とパスワード設定機能を提供する。
【０００３】
このようなダイヤル錠は使いやすくて簡単であるが、以下の問題がある。それは最初設定した解錠番号を忘れてしまうと解錠ができなくなることである。かつ既存のダイヤル錠の構造では、ダイヤル錠を壊さずに解錠する手段などは見当たらない。
【考案の開示】
【考案が解決しようとする課題】
【０００４】
本考案の目的は設定した解錠番号を忘れた場合に解錠できない事態を防止することが可能なダブルロック式ロックを提供することである。
【課題を解決するための手段】
【０００５】
上述の目的を達成するために、本考案によるダブルロック式ロックは、アタッシュケースの左右の二つの連結片を連結し、動かすことによりアタッシュケースの両側のサイドロックの開閉を制御するために一般のアタッシュケースの上に取り付けられる。本考案によるダブルブロック式ロックは受け部材、移動板、ダイヤル錠セット、設置シート、スリーブ及びシリンダーを備える。受け部材は収容部を有し、かつその一端の底部に外部と収容部とを繋ぐ連結孔を有する。
【０００６】
移動板は収容部の内部に取り付けられ、かつ収容部の長軸方向に沿い移動可能であり、また移動板は片側に配置されるストッパーと受け部材の連結孔の位置に対応する貫通部とを有する。ダイヤル錠セットは受け部材の収容部内に取り付けられ、かつ若干の数字盤、各数字盤に対応する凸状リング、中心軸、スプリング及び移動片を有し、前記移動片は高位置と低位置との間を移動可能である。
【０００７】
設置シートは移動板の貫通部の上方に位置するように受け部材の収容部に取り付けられ、かつ設置シートを貫く貫通孔を有する。スリーブは設置シートの貫通孔内に取り付けられ、かつスリーブは内部に少なくとも二つの縦向き溝を有し、底部に移動板を連動させる第一連動部を有する。シリンダーはスリーブ内に取り付けられ、かつ一端に回転部を有し、回転部は頂面を陥没させて形成された鍵穴を有し、またシリンダーは本体部に鍵穴へと続く複数の弾性片用のスリットを有し、底端にアタッシュケースの左右の二つの連結板を連動させる第二連動部を有する。
【０００８】
（考案の効果）
本考案の効果は、ダイヤル錠セットによる解錠および施錠ができ、ダイヤル錠が施錠状態であっても鍵を鍵穴に差し込んで回すことにより解錠でき、かつ、鍵を用いて解錠してもダイヤル錠による解錠および施錠の機能を失わないことである。
【考案を実施するための最良の形態】
【０００９】
以下、本考案の実施形態を図面に基づいて説明する。
（第１実施形態）
図２及び図３に示すように、本考案の第１実施形態によるダブルロック式ロックは一般のアタッシュケースの左右の二つの連結板１を連結し、これを動かすことによりアタッシュケースの両側のサイドロック２の開閉を制御するために一般のアタッシュケースの上に取り付けられる。本考案の第１実施形態によるダルブロック式ロックは受け部材１０、移動板２０、ダイヤル錠セット３０、設置シート４０、スリーブ５０及びシリンダー６０を備える。
【００１０】
図４及び図１２に示すように、受け部材１０は長形の収容部１１を有し、前記受け部材１０は一端に外部と収容部とを繋ぐ連結孔１４を有する。
図５から図７に示すように、移動板２０は収容部１１の内部に取り付けられ、かつ収容部１１の長軸方向に沿い移動可能であり、また移動板２０は片側に突出するストッパー２１を有し、ストッパー２１は移動板２０と一体成形であり、また移動板２０は一端に受け部材の連結孔１４の位置に対応する貫通部２２を有する。移動板２０は貫通部２２の横において貫通部２２と連続する陥凹部２３を有する。
【００１１】
図４及び図５に示すように、ダイヤル錠セット３０は周知のダイヤル錠と同じで、複数の数字盤３１、各数字盤に対応する凸状リング３２、中心軸３３、スプリング３４及び移動片３５を有し、そのうち移動片３５は凸状リング３２の回転により高位置と低位置との間を動かすことが可能である。第１実施形態では、ダイヤル錠セットは収容部１１内に取り付けられ、かつ四つの数字盤と四つの凸状リングを有する。
【００１２】
図４、図５及び図８に示すように、設置シート４０は両側に陥凹部４１を別々に有し、かつ設置シート４０は二つの陥凹部４１により受け部材１０の収容部１１の二つの長方向の壁をまたぎ、かつ移動板２０の貫通部２２の上方に位置付けられる。また設置シート４０は管部４２を有し、管部４２は頂部に突出状縁部４３を有する。また設置シート４０は管部４２の頂部から奥の設置シート４０を貫通する貫通孔４４を有する。
【００１３】
図９、図１０及び図１３に示すように、スリーブ５０は設置シート４０の貫通孔４４内に取り付けられ、かつ底部に第一連動部５１と扇形欠け口５２とを有し、扇形欠け口５２はスリーブの中心を円心にして９０度を呈するように広がり、第一連動部５１は中心から離れた凸状柱であり、かつ移動板２０の陥凹部２３に取り付けられる。またスリーブ５０は内部に二つの縦向き溝５３を有する。
【００１４】
図１１から図１３に示すように、シリンダー６０はスリーブ５０内に取り付けられ、かつ長形の本体部６１を有し、本体部６１は一端に回転部６２を有し、回転部６２の外径は本体部６１の外径より大きい。回転部６２は設置シート４０の頂部の突出状縁部４３に対応するために底部を陥没させて形成された弧形欠け口６３と、鍵を差し込むために頂面を陥没させて形成された鍵穴６４とを有する。
【００１５】
またシリンダー６０は本体部６１に鍵穴６４へと連続する複数の弾性片用のスリットを有し、弾性片用のスリットは図示しない弾性片およびスプリングの取り付けに用いられる。この部分は一般のシリンダーの構造と同じである。またシリンダー６０は底部に凸状ブロック６５を有し、凸状ブロック６５はスリーブ５０の扇形欠け口５２を貫通し、かつシリンダー６０の中心を円心に、外径に沿い形成される。
【００１６】
図３及び図１２に示すように、シリンダー６０は底部の凸状ブロック６５の片側かつ受け部材１０の外側に形成され、連結孔１４に対応する第二連動部７０を有する。第一実施形態では、第二連動部７０はアタッシュケースの左右の二つの連結板１に連結される二つの縦柱部７１から構成され、二つの連結板１を連動させることにより両側のサイドロック２を解錠または施錠可能である。
【００１７】
本考案の第１実施形態によるダブルロック式ロックを使用する際、その操作法は下記の二つである。
一つはダイヤル錠セット３０で解錠または施錠を制御すること、もう一つは鍵を鍵穴６４に差し込んで回し解錠することである。
ダイヤル錠セット３０による解錠または施錠の方法を以下に示す。数字盤３１が解錠状態となる場合、移動片３５は高位置に据えられるため、ストッパー２１の移動に干渉することがない。
【００１８】
このときシリンダー６０上の回転部６２を直接回せば、シリンダー６０は弾性片によってスリーブ５０の縦向き溝５３に突き当たることでスリーブ５０を回転させる。スリーブ５０の底部は移動板２０の陥凹部２３内に位置付けられ、中心から離れた凸状柱５１は移動板２０を移動させ、シリンダー６０の底部に位置する第二連動部７０はシリンダーの回転に伴い回転するため、二つの縦柱部７１は二つの連結板１を連動させ、解錠が可能である。従って、周知のダイヤル錠と同等の効果を達成することが可能である。
【００１９】
また数字盤３１が施錠状態の場合、移動片３５は低位置に据えられる。このとき回転部６２を直接回しても、移動板２０はストッパー２１が移動片３５に遮られて移動できないため、スリーブ５０は回転できず、スリーブ５０内のシリンダー６０も同様に回転できず、シリンダー６０に連動する回転部６２及び第二連動部７０も同様に回転できない。従って二つの連結板１の移動による解錠ができない。
【００２０】
前記施錠状態において、鍵を鍵穴６４に差し込んで回し解錠する方法を以下に示す。鍵を鍵穴６４に差し込み、回転部６２を回せば、弾性片はシリンダー６０内部まで後退し、スリーブ５０内の縦向き溝５３に対する牽制を解除するため、シリンダー６０はスリーブ５０に連動した牽制を受けることなく、回転可能になる。従って、シリンダー６０はスムーズに回転すると同時に第二連動部７０を回転させ、第二連動部７０は二つの縦柱部７１を介して二つの連結板１を移動させ、サイドロック２の解錠が可能となる。
【００２１】
またシリンダー６０の弧形欠け口６３は設置シート４０の突出状縁部４３に対応するように設けられ、スリーブ５０底部の扇形欠け口５２はシリンダー６０底部の凸状ブロック６５の移動を制限するように設けられるため、使用の際、シリンダー６０は一定の角度内でしか移動できない。従って、スリーブ５０と移動板２０との連結が原因で勝手に開くか、開けようとしても開かなくなる現象を防止できる。
【００２２】
（第２実施形態）
図１４から図２０は、本考案の第２実施形態によるダブルロック式ロックを示す。
本考案の第２実施形態によるダブルロック式ロックにおいて、受け部材１０、ダイヤル錠セット３０及び設置シート４０は第一実施形態と同じである。
図１４から図１７に示すように、移動板２０は収容部の長軸方向に沿い移動可能なように収容部１１に取り付けられ、かつ前記移動板２０の一端は受け部材１０の連結孔１４に対応する位置に貫通部２２を有する。
【００２３】
移動板２０は歯列部２４を有し、かつ移動板２０は受け部材１０に突出する一端を介してアタッシュケースの連結板１に連結可能である。
図１９に示すように、スリーブ５０は設置シート４０内に取り付けられ、かつ底部に位置する扇形欠け口５２と底部の外縁に位置する第一連動部５１とを有する。第２実施形態では、第一連動部５１は弧形歯部であり、スリーブは内部に二つの縦向き溝５３を有する。
【００２４】
図１８及び図２０に示すように、シリンダー６０はスリーブ５０内に取り付けられ、かつ本体部６１、回転部６２、弧形欠け口６３及び鍵を差し込むための鍵穴６４を有する。かつシリンダー６０は底部に突出する第二連動部７０を有し、第二連動部７０は歯車であり、スリーブ５０の扇形欠け口５２を貫通し、移動板２０の歯列部２４と噛み合う。
【００２５】
ストッパー２１は長形を呈し、かつ長軸方向に沿い移動可能であり、ストッパー２１は移動板２０上に形成され、かつ受け部材１０の収容部１１内かつ移動片３５の移動端の片側に位置付けられる。またストッパー２１はスリーブ５０の外縁に位置する第一連動部５１の弧形歯部と噛み合う一列の歯部２５を有する。
【００２６】
引張り板８０は受け部材１０の収容部１１内に取り付けられ、かつ突出状の長歯部８１を有し、長歯部８１と移動板２０の歯列部２４は互いに対応し、かつ別々にシリンダー６０の歯車７０の両側と噛み合う。また引張り板８０の一端は受け部材１０に突出し、かつ連結板１に連結することが可能である。第２実施形態は移動板２０と引張り板８０との突出端部を別々に連結板１に連結することによりサイドロック２の解錠と施錠を制御する。
【００２７】
第２実施形態によるダブルロック式ロックを使用する際、その操作法は下記の二つである。一つはダイヤル錠セット３０で解錠または施錠を制御すること、もう一つは鍵を鍵穴６４に差し込んで回し解錠することである。
ダイヤル錠セット３０による解錠または施錠の方法を以下に示す。数字盤３１が解錠状態となる場合、移動片３５は高位置に据えられるため、ストッパー２１の移動に干渉することがない。
【００２８】
このとき直接シリンダー６０上の回転部６２を直接回せば、シリンダー６０は弾性片によってスリーブ５０の縦向き溝５３に突き当たることでスリーブ５０を回転させ、スリーブ５０の弧形歯部はストッパーを連動させ、シリンダー６０の底部に位置する第二連動部７０は歯車に沿って移動板２０と引張り板８０をそれぞれ反対方向に移動させることにより二つの連結板１を連動させ、解錠を達成する。
【００２９】
また数字盤３１が施錠状態となる場合、移動片３５は低位置に据えられる。このとき回転部６２を直接回しても、ストッパー２１は移動片３５に遮られて移動できないため、第一連動部５１とストッパー２１とを噛み合わせるスリーブ５０は回転できず、スリーブ５０内のシリンダー６０も同様に回転できず、シリンダーに連動する回転部６２及び第二連動部７０も同様に回転できない。従って二つの連結板１の移動による解錠ができない。
【００３０】
前記施錠状態において、鍵を鍵穴６４に差し込んで回し解錠する方法を以下に示す。鍵をシリンダーの鍵穴６４に差し込み、回転部６２を回せば、弾性片はシリンダー６０内部まで後退し、スリーブ５０内の縦向き溝５３に対する牽制を解除するため、シリンダー６０はスリーブ５０の牽制を受けることなく、回転可能になる。従って、シリンダー６０はスムーズに回転すると同時に第二連動部７０を回転させ、第二連動部７０は移動板２０と引張り板８０とをそれぞれ反対方向に移動させることにより二つの連結板１を連動させ、サイドロック２を解錠可能となる。
【００３１】
（その他の実施形態）
また、シリンダーを回転させる際に良好な位置決め効果を得るために、スリーブの内部に四つの縦向き溝を９０度の間隔で配置することが可能である。鍵でシリンダーを回転させた後、シリンダーを元の位置に復元することなく鍵を抜き出した際にダイヤル錠セットの機能が失われる事態を防止するために、図２１に示すように、スリーブの内部に四つの縦向き溝を配置し、かつスリーブの内壁から縦向き溝の底へ傾いていく斜面Ｓを形成可能である。
【００３２】
これにより、シリンダーが施錠位置（図中の横向き位置）から解錠位置（図中の縦向き位置）まで回転し、同時に鍵が抜き出された場合、鍵に頼らずシリンダーを回転し、斜面Ｓを介してシリンダー内の弾性片を後退させてから弾き出すことによりシリンダーを本来の使用可能な位置に復元することができる。
【図面の簡単な説明】
【００３３】
【図１】周知のアタッシュケース用ダイヤル錠を示す斜視図である。
【図２】本考案の第一実施形態によるダブルロック式ロックがアタッシュケースのハンドル上に取り付けられた状態を示す斜視図である。
【図３】図２の３‐３線に沿う断面図である。
【図４】本考案の第一実施形態によるダブルロック式ロックを示す斜視図である。
【図５】本考案の第一実施形態によるダブルロック式ロックを示す平面図である。
【００３４】
【図６】本考案の第一実施形態によるダブルロック式ロックの移動板を示す平面図である。
【図７】本考案の第一実施形態によるダブルロック式ロックの移動板を示す側面図である。
【図８】本考案の第一実施形態によるダブルロック式ロックの設置シートを示す斜視図である。
【図９】本考案の第一実施形態によるダブルロック式ロックのスリーブを示す斜視図である。
【図１０】本考案の第一実施形態によるダブルロック式ロックのスリーブを示す底面図である。
【００３５】
【図１１】本考案の第一実施形態によるダブルロック式ロックのシリンダーを示す断面図である。
【図１２】図５の１２‐１２線に沿う断面図である。
【図１３】図４の１３‐１３線に沿う断面図である。
【図１４】本考案の第二実施形態によるダブルロック式ロックの平面図である。
【図１５】本考案の第二実施形態によるダブルロック式ロックの設置シート、スリーブ及びシリンダーを示す斜視図である。
【図１６】本考案の第二実施形態によるダブルロック式ロックの設置シート、スリーブ及びシリンダーを示す平面図である。
【００３６】
【図１７】本考案の第二実施形態によるダブルロック式ロックの移動板を示す斜視図である。
【図１８】図１４の１８‐１８線に沿う断面図である。
【図１９】本考案の第二実施形態によるダブルロック式ロックのスリーブを示す斜視の立体図である。
【図２０】本考案の第二実施形態によるダブルロック式ロックのシリンダーを示す斜視図である。
【図２１】本考案のその他の実施形態によるダブルロック式ロックのスリーブを示す平面図である。
【符号の説明】
【００３７】
１：連結板、２：サイドロック、１０：受け部材、１１：収容部、１４：連結孔、２０：移動板、２１：ストッパー、２２：貫通部、２３：陥凹部、２４：歯列部、２５：歯部、３０：ダイヤル錠セット、３１：ダイヤル錠、３２：凸状リング、３３：中心軸、３４：スプリング、３５：移動片、４０：設置シート、４１：陥凹部、４２：管部、４３：突出状縁部、４４：貫通孔、５０：スリーブ、５１：第一連動部、５２：扇形欠け口、５３：縦向き溝、６０：シリンダー、６１：本体部、６２：回転部、６３：弧形欠け口、６４：鍵穴、６５：凸状ブロック、７０：第二連動部、７１：縦柱部、８０：引張り板、８１：長歯部
【図１】
0003139579.tif 000003
【図２】
0003139579.tif 000004
【図３】
0003139579.tif 000005
【図４】
0003139579.tif 000006
【図５】
0003139579.tif 000007
【図６】
0003139579.tif 000008
【図７】
0003139579.tif 000009
【図８】
0003139579.tif 000010
【図９】
0003139579.tif 000011
【図１０】
0003139579.tif 000012
【図１１】
0003139579.tif 000013
【図１２】
0003139579.tif 000014
【図１３】
0003139579.tif 000015
【図１４】
0003139579.tif 000016
【図１５】
0003139579.tif 000017
【図１６】
0003139579.tif 000018
【図１７】
0003139579.tif 000019
【図１８】
0003139579.tif 000020
【図１９】
0003139579.tif 000021
【図２０】
0003139579.tif 000022
【図２１】
0003139579.tif 000023